(57)【特許請求の範囲】
【請求項１】
給湯装置と、浴室に設置され、前記給湯装置を遠隔操作するためのリモコン装置を備えた給湯システムにおいて、前記リモコン装置に実装されるプロジェクタ装置であって、
筐体と、
前記筐体に収容され、光源を有する光学ユニットと、
前記光源で発生した熱を吸熱するためのものであって、冷却用水を貯水するための貯水部を有するヒートシンクと、を備え、
前記貯水部は、前記筐体のケース上方に開口し、前記冷却用水を注水するための開口部を備える、プロジェクタ装置。
【請求項２】
前記光学ユニットは、密閉された内部空間に配置され、
前記貯水部は前記内部空間の外側に配置される、請求項１に記載のプロジェクタ装置。
【請求項３】
断熱材を更に備え、
前記ヒートシンクは、前記筐体表面から突出した突出部を有し、
前記断熱材は、前記突出部の外周面を覆うように設けられる、請求項１又は請求項２に記載のプロジェクタ装置。
【発明の詳細な説明】
【技術分野】
【０００１】
本発明は、プロジェクタ装置に関する。
【背景技術】
【０００２】
従来、画像や映像を壁面等に投影するプロジェクタ装置がある。プロジェクタ装置は光源から射出された光束を画像情報に応じて変調して光学像を形成し、その光学像をスクリーン上に拡大投射する。プロジェクタ装置では、光源等の構成部材が発熱するため、冷却ファンを有する冷却機構（例えばヒートシンク）を備えて、熱源を冷却するのが一般的である。その他にも、最近では、冷却機構として熱媒循環機構を備えるプロジェクタ装置がある。例えば特許文献１に記載のプロジェクタ装置では、光源室の形状を鉛直のダクト構造とし、光源室内部の空気の自然対流により、光源室内の温度上昇率を低減させる。
【先行技術文献】
【特許文献】
【０００３】
【特許文献１】特開２００６−３０８６６０号公報
【発明の概要】
【発明が解決しようとする課題】
【０００４】
しかし、上記従来のプロジェクタ装置は冷却ファンや熱媒循環機構を備えるため、大型化又は複雑化するという問題がある。特に冷却ファンを備える構成では、騒音の問題だけでなく、浴室等の水を使用する場所に設置した場合は通風口を通じて内部に水や水分が浸入してしまうという問題がある。
【０００５】
そこで、本発明では、プロジェクタ装置において、比較的簡単な構成で熱源を冷却し、低騒音且つ防水を実現することを目的とする。
【課題を解決するための手段】
【０００６】
本発明の一態様に係るプロジェクタ装置は、筐体と、前記筐体に収容され、光源を有する光学ユニットと、前記光源で発生した熱を吸熱するためのものであって、冷却用水を貯水するための貯水部を有するヒートシンクと、を備える。
【０００７】
上記構成によれば、ヒートシンクの貯水部に冷却用水を貯水することにより、従来の冷却ファンや熱媒循環機構を備えることなく、比較的簡単な構成でヒートシンクの熱を放熱し、プロジェクタ装置内部を冷却できる。また、冷却ファンを備えていないので低騒音化を実現できる。そして、ファンの通風口が不要となるので、防水構造を実現できる。
【０００８】
前記貯水部は、前記冷却用水を注水するための開口部を備えてもよい。
【０００９】
上記構成によれば、ユーザは例えば浴室のシャワー設備等を利用して、開口部から冷却用水を簡単に注水できる。
【００１０】
前記光学ユニットは、密閉された内部空間に配置され、前記貯水部は前記内部空間の外側に配置されてもよい。
【００１１】
上記構成によれば、光学ユニットが密閉された内部空間の外側に貯水部を配置するので、装置内部に冷却用水が浸入することはなく、防水構造を実現することができる。例えば浴室等の水を使用する場所でも装置内部への水漏れや結露等の不良が発生することなく好適に使用できる。
【００１２】
上記プロジェクタ装置は、断熱材を更に備え、前記ヒートシンクは、前記筐体表面から突出した突出部を有し、前記断熱材は、前記突出部の外周面を覆うように設けられてもよい。
【００１３】
上記構成によれば、筐体表面から突出したヒートシンク（突出部）の外周面が断熱材で覆われるので、ユーザが熱くなったヒートシンク（突出部）に直接触れることは無い。
【００１４】
上記プロジェクタ装置は、給湯装置と、浴室に設置され、前記給湯装置を遠隔操作するためのリモコン装置を備えた給湯システムの前記リモコン装置に実装されてもよい。
【００１５】
上記構成によれば、上記プロジェクタ装置が、浴室のリモコン装置に実装されるので、ユーザは入浴しながら画像や映像を鑑賞することができる。
【発明の効果】
【００１６】
本発明のプロジェクタ装置によれば、比較的簡単な構成で熱源を冷却し、低騒音且つ防水を実現することができる。
【図面の簡単な説明】
【００１７】
【図１】図１は、第１実施形態に係るプロジェクタ装置の外観を示す斜視図である。
【図２】図２は、図１のプロジェクタ装置の内部構成を示す平面図である。
【図３】図３は、図２のＩＩＩ−ＩＩＩ線の断面図である。
【図４】図４は、図１のプロジェクタ装置の構成を示すブロック図である。
【図５】図５は、図４の光学系を示す図である。
【図６】図６は、第２実施形態に係るプロジェクタ装置の外観を示す斜視図である。
【図７】図７は、図６のプロジェクタ装置の内部の構成を示す平面図である。
【図８】図８は、図７のＶＩＩＩ−ＶＩＩＩ線の断面図である。
【図９】図９は、プロジェクタ装置の機能を備えた給湯システムの構成を示す図である。
【図１０】図１０は、図９の浴室リモコンの外観を示す斜視図である。
【図１１】図１１は、図９の浴室の概略透視図である。
【発明を実施するための形態】
【００１８】
以下、好ましい実施の形態を、図面を参照しながら以下に説明する。なお、以下では全ての図面を通じて同一又は相当する要素には同一の参照符号を付して、その重複する説明を省略する。また、図面は理解しやすくするために、それぞれの構成要素を模式的に示したもので、形状及び寸法比等については正確な表示ではない場合がある。
【００１９】
（第１実施形態）
図１は、第１実施形態に係るプロジェクタ装置の外観を示す斜視図である。プロジェクタ装置１は、例えば室内に設置され、光源から射出された光束を画像情報に応じて変調して光学像を形成し、その光学像をスクリーン上に拡大投射する。図１に示すように、プロジェクタ装置１は、略直方体形状の筐体５を備え、装置本体を収容している。筐体５は例えば合成樹脂製のケースである。また、プロジェクタ装置１は、ケース前面側から露出する投射レンズ３０と、ケース上面に開口するヒートシンク４を備えている。投射レンズ３０は、筒状の鏡筒内に複数種のレンズが収容された組レンズとして構成され、プロジェクタ装置１の本体により画像情報に応じて変調された光学像を拡大投射する。
【００２０】
図２は、プロジェクタ装置１の内部構成を示す平面図である。具体的には図１の状態から筐体５のケース上部を取り外した状態を示している。図２に示すように、筐体５の内部には、プロジェクタ装置１の本体が収容されている。プロジェクタ装置１は、前面右側に配置された光源２１を有する光学ユニット２と、後方側に配置された回路基板３と、ケース前面左側に配置された冷却ユニットとしてのヒートシンク４と、光学ユニット２およびヒートシンク４の間に配置された放熱板４５と、光学ユニット２及び回路基板３に電力を供給する電源ユニット（図示せず）とを筐体５の内部に備える。
【００２１】
光学ユニット２およびヒートシンク４は、放熱板４５を介して接触している。放熱板４５は主面が湾曲した平板状の銅板であり、平面視でＬ字形である。湾曲した平板の内側の面が光源２１に接触し、平板の外側の面がヒートシンク４に接触している。このように放熱板４５は、光源２１で発生した熱を効率良くヒートシンク４に伝えるように構成されている。
【００２２】
次に、ヒートシンク４の具体的構成について図３も参照しつつ説明する。図３は、図２のＩＩＩ−ＩＩＩ線の断面図である。図３に示すように、ヒートシンク４は、光学ユニット２（光源２１）で発生した熱を吸熱するための冷却部材であって、冷却用水Ｗを貯水するための貯水部４１を有する。ヒートシンク４の材料は伝熱特性の良いアルミニウムが使用されるが、鉄、銅などの金属でもよい。冷却用水Ｗは浴室や台所等の給湯設備から給水される水道水でもよい。貯水部４１は冷却用水Ｗを注水するための開口部４２を有する。開口部４２は平面視で正方形状である（図２参照）。開口部４２は筐体５のケースの上方に開口しているが、筐体５のケースの側方に開口してもよい。本実施形態では貯水部４１はコップ状に形成され、貯水部４１の内側には平板状の複数のフィン４３が互いに離間して形成されている。フィン４３の材料はヒートシンク４と同じアルミニウムが使用される。ここではフィン４３は貯水部４１と一体的に形成される。
【００２３】
また、本実施形態では、筐体５の内側面及びヒートシンク４の外側面で内部空間Ｓが形成され、内部空間Ｓは接着剤又は接合部材（いずれも図示せず）で密閉されている。密閉された内部空間Ｓの内側には光学ユニット２及び回路基板３等のその他の構成部材が配置され、内部空間Ｓの外側には貯水部４１が配置されている。
【００２４】
ところで、プロジェクタ装置１は使用中において、貯水部４１に貯水された冷却用水Ｗがヒートシンク４で吸収した熱により蒸発してしまうことが想定される。プロジェクタ装置１はそのような場合の安全機能を備えている。具体的には、プロジェクタ装置１は、温度センサ６を筐体５の内部に備え、検出結果を回路基板３上に実装された制御ユニットに出力するように構成されている。制御ユニットは、筐体５内部の温度が所定の温度まで上がるとプロジェクタ装置１の動作を停止させるよう構成されている。
【００２５】
次に、プロジェクタ装置１の具体的構成について説明する。本実施形態のプロジェクタ装置１はＤＭＤ（Ｄｉｇｉｔａｌ  Ｍｉｒｒｏｒ  Ｄｅｖｉｃｅ）を用いたＤＬＰ（Ｄｉｇｉｔａｌ  Ｌｉｇｈｔ  Ｐｒｏｃｅｓｓｉｎｇ）方式のプロジェクタ装置である。尚、ＤＬＰはテキサス・インスツルメンツ社の登録商標である。
【００２６】
図４は、プロジェクタ装置１の構成を示すブロック図である。図４に示すように、プロジェクタ装置１は、光学ユニット２と、回路基板３上に実装された制御ユニットを備える。
【００２７】
光学ユニット２は、赤色、緑色及び青色の光源２１と、光学系２２と、ＤＭＤ２３で構成される。ＤＭＤ２３は反射型の光変調素子である。アレイ状に配置された複数の半導体ミラー素子（図示せず）を有し、赤色、緑色、青色の光源２１の光に同期してそれらの半導体ミラー素子の角度を変化させる。光学系２２は、光源２１からの光を、ＤＭＤ２３へ照射させる照明光学系と、ＤＭＤ２３によって反射された光をスクリーン（図示せず）上へ投射する投射光学系とを含む。
【００２８】
プロジェクタ装置１は、前処理部３１、制御部３２、クロック生成回路３３と、タイミング回路３４と、光源駆動回路３５を回路基板３上に備える。これらの回路群は光学ユニット２を制御する制御ユニットを構成する。
【００２９】
前処理部３１は、インターフェース（図示せず）を介して入力された映像信号を、ＤＭＤ２３と同じ画素数のＲＧＢデジタル映像データに変換し、これを制御部３２へ出力する。制御部３２は、前処理部３１から入力されたデジタル映像データと、クロック生成回路３３から入力されたクロック信号に基づき光源駆動回路３５及びＤＭＤ２３の駆動を制御するように構成される。
【００３０】
タイミング回路３４は、クロック生成回路３３から入力されたクロック信号ＣＬＫに同期したタイミングパルス信号（Ｒ、Ｂ、Ｇ）を生成する。各タイミングパルス信号（Ｒ、Ｇ、Ｂ）のパルスは、それぞれ重複することなく異なるタイミングで交互に生成され、光源駆動回路３５に出力される。光源駆動回路３５は、タイミング回路３４から入力された各タイミングパルス信号（Ｒ、Ｇ、Ｂ）と同期したタイミングで各光源２１を点灯する。
【００３１】
図５は、光学系２２を示す図である。図５に示すように、光学系２２は、ダイクロイックプリズム２５と、コンデンサレンズ２６と、反射ミラー２７と、コンデンサレンズ２８と、プリズム２９と、投射レンズ３０を備える。
【００３２】
ダイクロイックプリズム２５は３つの光源２１の中央に配置される。本実施形態の光源２１は、赤色光源２１Ｒと、緑色光源２１Ｇと、青色光源２１Ｂで構成される。赤色光源２１Ｒは赤色ＬＥＤと、赤色ＬＥＤをその焦点位置に配置し、ＬＥＤからの光を略平行光線として反射させるリフレクタを有している。同様に、緑色光源２１Ｇは緑色ＬＥＤ及びリフレクタを有し、青色光源２１Ｂは青色ＬＥＤ及びリフレクタを有している。
【００３３】
ダイクロイックプリズム２５は、例えば一対のプリズムの接合面に反射層を介在させて構成され、入射される光を波長に応じて分離する。ここでは、青色光源２１Ｂから入射されたレーザ光が、ダイクロイックプリズム２５の接合面で反時計方向に９０度反射されて進み、赤色光源２１Ｒから入射されたレーザ光が、ダイクロイックプリズム２５の接合面を直進し、緑色光源２１Ｇから入射されたレーザ光が、ダイクロイックプリズム２５の接合面で時計方向に９０度反射されて進み、各光源２１からの光は、すべて同一方向に向け出射される。
【００３４】
ダイクロイックプリズム２５の前方には、平凸タイプのコンデンサレンズ２６が配置される。コンデンサレンズ２６は、ダイクロイックプリズム２５から順次出射される赤色、緑色及び青色の光を集光する。コンデンサレンズ２６により集光された光線束は反射ミラー２７、コンデンサレンズ２８及びプリズム２９を通過してＤＭＤ２３に照射される。ＤＭＤ２３の半導体ミラー素子によって反射された光がプリズム２９を通過して投射レンズ３０により拡大される。これにより、スクリーン（図示せず）上にカラー映像が表示される。
【００３５】
以上のような構成のプロジェクタ装置１では、使用時において、光源２１をはじめとして、その他の構成部材が発熱する。本実施形態によれば、ヒートシンク４の貯水部４１に冷却用水Ｗを貯水することにより（図３参照）、従来の冷却ファンや熱媒循環機構を備えることなく、比較的簡単な構成でヒートシンク４の熱を放熱し、プロジェクタ装置１の内部を冷却できる。また、冷却ファンを備えていないので低騒音化を実現できる。そして、ファンの通風口が不要となるので、防水構造を実現できる。
【００３６】
一方、時間の経過とともに貯水部４１に貯水された冷却用水Ｗが蒸発した場合には、筐体５内部の温度が上昇するが、筐体５の内部に設けられた温度センサ６（図３参照）を備えることにより、制御ユニット（例えば図４の制御部３２）は、筐体５内部の温度が所定の温度まで上がるとプロジェクタ装置１の動作を安全に停止することができる。
【００３７】
また、貯水部４１は、冷却用水Ｗを注水するための開口部４２を備えることにより（図３参照）、ユーザは例えば浴室のシャワー設備等を利用して、開口部４２から冷却用水Ｗを簡単に注水できる。
【００３８】
更に、光学ユニット２は、密閉された内部空間Ｓに配置され、貯水部４１は内部空間Ｓの外側に配置されていることにより（図３参照）、プロジェクタ装置１内部に冷却用水Ｗが浸入することはなく、防水構造を実現することができる。例えば浴室等の水を使用する場所でも装置内部への水浸入や結露の発生などによるプロジェクタ装置の不良が発生することなく好適に使用できる。
【００３９】
（第２実施形態）
次に、第２実施形態について説明する。以下では、第１実施形態と共通する構成の説明は省略し、相違する構成についてのみ説明する。
【００４０】
図６は、第２実施形態に係るプロジェクタ装置の外観を示す斜視図である。図７は、図６のプロジェクタ装置の内部の構成を示す平面図である。図８は、図７のＶＩＩＩ−ＶＩＩＩ線の断面図である。同図に示すように、本実施形態のプロジェクタ装置１Ａでは、ヒートシンク４が、筐体５Ａの表面から突出した突出部４４を有する点と、突出部４４の外周面を覆うように断熱材７が設けられる点が第１実施形態と異なる。
【００４１】
本実施形態では、ヒートシンク４の一部を突出部４４として筐体５Ａ表面から突出することにより、筐体５Ａ内の空いたスペース、つまりヒートシンク４の底部にまで延長された放熱板４５Ａの下部に回路基板３の一部を配置している（図７及び図８参照）。結果として、筐体５Ａを、第１実施形態と比べて小さくすることができ、プロジェクタ装置１Ａを小型化することができる。また、筐体５Ａ表面から突出した突出部４４は使用により温度が上昇することが想定されるが、突出部４４の外周面が断熱材で覆われるので、ユーザが熱くなったヒートシンク４に直接触れることは無い。
【００４２】
（変形例）
次に、上記各実施形態の変形例について説明する。以下では、第１実施形態と共通する構成の説明は省略し、相違する構成についてのみ説明する。
【００４３】
図９は、プロジェクタ装置の機能を備えた浴室システムの構成を示す図である。この浴室システムは、画像情報を浴室６０内の壁などに投影してユーザが入浴しながら画像や映像を鑑賞することのできるシステムである。図９に示すように、給湯システム１００は、たとえば住宅内に設けられ、一般給湯、風呂湯沸しなどの給湯運転を行う給湯装置本体５０と、これを遠隔操作するために浴室６０に設置された浴室リモコン７０とを備える。なお、給湯装置本体５０には、台所などに設けられ給湯装置本体５０を遠隔操作するための台所リモコンが接続されていてもよい。
【００４４】
給湯装置本体５０は、たとえば住宅の屋外に設置され、一般給湯用、風呂追い焚き用、または温水暖房用の熱交換器、各種燃焼器、および各種バルブなどを含む燃焼ユニット（いずれも図示せず）と、給湯装置本体５０の全体動作を制御する制御部５１とを備えている。
【００４５】
制御部５１は、たとえば電子部品が搭載されたプリント基板によって構成され、マイクロコンピュータ、各種のデータを必要に応じて記憶する記憶部、および浴室リモコン７０等との通信を行うための通信部（いずれも図示せず）などを有している。制御部５１は、給湯装置本体５０の制御中枢となるものであり、図示しないＲＯＭに記憶されている運転実行プログラム、あるいは浴室リモコン７０、図示しない台所リモコンおよび暖房用機器などから送られる操作信号などに基づいて、各種燃焼器の燃焼状態や各種バルブの開閉を制御する。
【００４６】
給湯装置本体５０と浴室リモコン７０とは、給湯装置本体５０から浴室リモコン７０に対して電源供給（たとえば１５Ｖ）を行うための２芯線８によって接続されており、給湯装置本体５０と浴室リモコン７０とでやり取りされるデータ信号は、この２芯線８によって供給される電源電圧に重畳されて伝達される。
【００４７】
浴室リモコン７０は、浴室６０の一方の壁面に設置され、リモコン本体としての機能と、プロジェクタとしての機能を備える。浴室６０の他方の壁面にはプロジェクタにより映像を投影する部分に対応して専用パネルが組み込まれている。図１０は、図９の浴室リモコン７０の外観を示す斜視図である。図１０に示すように、浴室リモコン７０は、防水機能が施された筐体７０ａを備えており、筐体７０ａ前面にはパネル面部７１ａおよび表示面部７１ｂからなる操作表示部７１、運転スイッチ７２が設けられており、これらは制御部（図示しない）に接続されている。浴室リモコン７０は、プロジェクタ機能として、筐体７０ａ前面側から露出する投射レンズ３０と、筐体７０ａ上面に開口するヒートシンク４を備えている。また、浴室リモコン７０には、リモコン操作やプロジェクタの映像信号に応じた音声を出力するためのスピーカが備えられていてもよい。
【００４８】
操作表示部７１は、いわゆるタッチパネルとして構成される、ユーザが押圧操作するためのパネル面部７１ａと、パネル面部７１ａの後方側に設けられた、たとえば液晶ディスプレイからなる表示面部７１ｂとによって概略構成されている。
【００４９】
表示面部７１ｂは、制御部（図示せず）からの指令により、給湯栓やシャワーヘッド等から給湯する一般給湯の設定温度、風呂湯温の設定温度、およびバーナ（図略）の点火状況などを表示したり、追い焚き開始などの操作指令を表した複数種類の操作スイッチがレイアウトされた複数種類の操作画面を表示したりする。また、表示面部７１ｂは、ユーザがプロジェクタ機能に関する操作をした場合に、その操作内容を表示してもよい。なお、表示面部７１ｂは、液晶ディスプレイに代えて、たとえば多数の蛍光体をドットマトリクス状に配置した蛍光管、エレクトロ・ルミネッセンスディスプレイ、あるいはプラズマディスプレイなどによって構成されてもよい。
【００５０】
パネル面部７１ａは、表示面部７１ｂにおけるユーザの押圧操作の位置を、光学的方式または抵抗膜を利用した抵抗膜方式などを用いて検出する機能を有している。パネル面部７１ａからの押圧操作の検出信号は、制御部（図示せず）に入力され、制御部は、この押圧操作の検出信号と表示面部７１ｂにおける操作スイッチの表示位置の情報とからユーザの操作した操作スイッチを判別する。
【００５１】
図１１は、図９の浴室６０の概略透視図である。図１１に示すように、浴室リモコン７０は浴室６０の一方の壁面に設置される。これにより、他方の壁面の投影面８０に映像が表示される。従って、本変形例によれば、浴室リモコン７０がプロジェクタ機能を備えるので、ユーザは入浴しながら画像や映像を鑑賞することができる。また、浴室リモコン７０は浴室６０に設置されているので、ユーザはシャワー設備等を利用して、開口部４２から冷却用水Ｗを簡単に注水又は補給できる。
【００５２】
尚、浴室リモコン７０は浴室６０の一方の壁面に設置され、他方の壁面に映像が表示されるような構成としたが、浴室リモコン７０は浴槽Ｂの上縁部に設置されてもよいし、投影面が風呂の蓋に結像されるような構成でもよい。
【００５３】
尚、本実施形態では、プロジェクタ機能を浴室リモコンに実装したが、台所リモコンに実装してもよいし、電子機器であれば例えばＰＣ、携帯情報端末に実装してもよい。もちろん可搬型のプロジェクタ装置単体としてもよい。
【００５４】
（その他の実施形態）
尚、上記各実施形態では、プロジェクタ装置はＤＭＤを用いたＤＬＰ方式としたが、使用により、光源が発熱するプロジェクタ装置であれば、反射型液晶パネルを用いたＬＣＯＳプロジェクタでもよいし、透過型液晶プロジェクタでもよい。
【００５５】
尚、上記各実施形態のプロジェクタ装置１は、安全機能として、温度センサ６を筐体内部に備えたが、これに代えて液位センサと、冷却用水Ｗが無くなる前に所定の水位まで下がったことをユーザに報知する手段を備え、冷却用水Ｗの補給を促してもよいし、双方の構成を備えてもよい。また、開口部４２には人が容易に指を差し入れないようにメッシュ状の蓋を備えていてもよい。
【００５６】
尚、上記各実施形態の貯水部４１の形状は、コップ状としたが、冷却用水を貯水することが可能な形状であればよい。例えば貯水部４１は内部が直方体又は立方体の空間を有してもよいし、球状又は円筒状のタンクでもよい。
【００５７】
尚、上記各実施形態の開口部４２の形状は、正方形であるが、冷却用水を注水可能な形状であればよい。例えば開口部４２の形状は、長方形、円形、楕円形、三角形、五角形以上の多角形でもよい。
【００５８】
尚、上記各実施形態の光源２１は、赤緑青の３色のＬＥＤを有する構成であったが、白色のＬＥＤ及び一色のカラーフィルタと、その他の色のＬＥＤとの組み合わせでもよい。また、光源２１は使用により発熱するものであればランプでもよい。
【００５９】
上記説明から、当業者にとっては、本発明の多くの改良や他の実施形態が明らかである。従って、上記説明は、例示としてのみ解釈されるべきであり、本発明を実行する最良の態様を当業者に教示する目的で提供されたものである。本発明の精神を逸脱することなく、その構造及び／又は機能の詳細を実質的に変更できる。
【産業上の利用可能性】
【００６０】
本発明は、使用により発熱する光源等の構成部材を備えた電子機器に利用できる。
【符号の説明】
【００６１】
１，１Ａ  プロジェクタ装置、２  光学ユニット、３  回路基板、
４，４Ａ  ヒートシンク、５，５Ａ  筐体、６  温度センサ、７  断熱材、
８  二芯線、２１  光源（ＬＥＤ）、
２１Ｒ  赤色ＬＥＤ、２１Ｇ  緑色ＬＥＤ、２１Ｂ  青色ＬＥＤ、
２２  光学系、２３  光変調素子（ＤＭＤ）、３０  投射レンズ、
４１  貯水部、４２  開口部、４３  放熱フィン、４４  突出部、
４５，４５Ａ  放熱板、５０  給湯装置本体、６０  浴室、
７０  浴室リモコン、７０ａ  ケース、７１  操作表示部、
７２  運転スイッチ、８０  投影面、１００  給湯システム、
Ｂ  浴槽、Ｓ  内部空間、Ｗ  冷却用水
【図１】
0006651870.tif 000002
【図２】
0006651870.tif 000003
【図３】
0006651870.tif 000004
【図４】
0006651870.tif 000005
【図５】
0006651870.tif 000006
【図６】
0006651870.tif 000007
【図７】
0006651870.tif 000008
【図８】
0006651870.tif 000009
【図９】
0006651870.tif 000010
【図１０】
0006651870.tif 000011
【図１１】
0006651870.tif 000012